(57)【要約】【課題】車両に搭載されているレドックスフロー電池の電解液交換を容易に行うのに有効な技術を提供する。【解決手段】  電解液ステーション１００は、コネクタ１１１を有するスタンド１１０と、使用済電解液Ｌａ，Ｌｂを回収する回収タンク１２０と、充電済電解液Ｍａ，Ｍｂを貯留する充填タンク１３０と、コネクタ１１１と回収タンク１２０とを接続する回収ライン１１２，１１３と、コネクタ１１１と充填タンク１３０とを接続する充填ライン１１４，１１５と、を備え、コネクタ１１１が接続口１３に接続されることにより、電解液タンク１２から抜き出された使用済電解液Ｌａ，Ｌｂが回収ライン１１２，１１３を通じて回収タンク１２０に回収可能となり、充填タンク１３０に貯留されている充電済電解液Ｍａ，Ｍｂが充填ライン１１４，１１５を通じて電解液タンク１２に充填可能となるように構成されている。【選択図】図２
2020095913.tif 000002
【特許請求の範囲】
【請求項１】
車両（１０）に搭載されたレドックスフロー電池（１１）の電解液交換に使用される電解液ステーション（１００，１００Ａ）であって、
上記レドックスフロー電池の電解液タンク（１２）に繋がる接続口（１３）に接続可能なコネクタ（１１１）を有するスタンド（１１０）と、
使用済電解液（Ｌａ，Ｌｂ）を回収する回収タンク（１２０，１２０Ａ，１２０Ｂ）と、
充電済電解液（Ｍａ，Ｍｂ）を貯留する充填タンク（１３０，１３０Ａ，１３０Ｂ）と、
上記スタンドの上記コネクタと上記回収タンクとを接続する回収ライン（１１２，１１３）と、
上記スタンドの上記コネクタと上記充填タンクとを接続する充填ライン（１１４，１１５）と、
を備え、
上記スタンドの上記コネクタが上記接続口に接続されることにより、上記電解液タンクから抜き出された上記使用済電解液が上記回収ラインを通じて上記回収タンクに回収可能となり、上記充填タンクに貯留されている上記充電済電解液が上記充填ラインを通じて上記電解液タンクに充填可能となるように構成されている、電解液ステーション（１００，１００Ａ）。
【請求項２】
上記回収タンクに回収された上記使用済電解液の充電処理が可能な充電処理装置（１４０）を備え、上記充電処理装置で充電処理された電解液が上記充電済電解液として上記充填タンクに貯留されるように構成されている、請求項１に記載の電解液ステーション。
【請求項３】
上記充電処理装置は、
上記回収タンクと上記充填タンクのそれぞれに対して移送ポンプ（１４２ａ，１４３ａ，１４４ａ，１４５ａ）及び開閉弁（１４２ｂ，１４３ｂ，１４４ｂ，１４５ｂ）が設けられた接続管（１４２，１４３，１４４，１４５）を介して接続された充電タンク（１４１，１４１Ａ，１４１Ｂ）と、
循環ポンプ（１４６ａ，１４７ａ）が設けられた循環経路（１４６，１４７）を通じて上記充電タンクとの間で電解液を循環可能なセルスタック（１５０）と、
外部接続対象（１５２，１５４）と上記セルスタックとの間の通電経路（１５０ａ）に介装された充放電器（１５１，１５３）と、
上記レドックスフロー電池から上記使用済電解液を回収し且つ上記レドックスフロー電池に上記充電済電解液を充填するために設定された電解液交換条件に基づいて、上記移送ポンプ、上記循環ポンプ及び上記開閉弁を制御する制御部（１６０）と、
を有する、請求項２に記載の電解液ステーション。
【請求項４】
上記充電タンクの容量は、上記レドックスフロー電池の上記電解液タンクの容量の倍数或いは約数として表される値に設定されている、請求項３に記載の電解液ステーション。
【請求項５】
上記充電タンクの容量は、上記回収タンク及び上記充填タンクのいずれの容量も下回る値に設定されている、請求項４に記載の電解液ステーション。
【請求項６】
上記外部接続対象には、系統電力（１５２）と接続車両（１５４）とが含まれ、上記充放電器には、上記系統電力との間の充放電のための系統電力用充放電器（１５１）と、上記接続車両との間の充放電のための車両用充放電器（１５３）と、が含まれており、上記系統電力用充放電器及び上記車両用充放電器が上記セルスタックに並列接続されている、請求項３〜５のいずれか一項に記載の電解液ステーション。
【請求項７】
請求項３〜６のいずれか一項に記載の電解液ステーション（１００，１００Ａ）と、
上記電解液ステーションを管理する管理装置（２００）と、
を備え、
上記管理装置は、
上記外部接続対象から上記充放電器に入力される入力電力量（Ｐａ）と、上記充放電器から上記外部接続対象に出力される出力電力量（Ｐｂ）のそれぞれを予測する電力量予測部（２１０）と、
上記充填タンクから上記レドックスフロー電池の上記電解液タンクに充填される上記充電済電解液の充填量（Ｐｃ）を予測する充填量予測部（２２０）と、
上記回収タンクに貯留されている上記使用済電解液の液量（Ｑａ）及びエネルギー量（Ｅａ）と、上記充填タンクに貯留されている上記充電済電解液の液量（Ｑｂ）及びエネルギー量（Ｅｂ）を計測する計測部（２３０）と、
上記電力量予測部及び上記充填量予測部のそれぞれによる予測結果と上記計測部による計測結果との双方に基づいて上記電解液交換条件を設定する条件設定部（２４０）と、
を有する、電力マネジメントシステム（１）。
【発明の詳細な説明】
【技術分野】
【０００１】
本発明は、車両に搭載されたレドックスフロー電池の電解液交換に関する。
【背景技術】
【０００２】
下記の特許文献１には、レドックスフロー電池を使用した燃料システムが開示されている。この燃料システムでは、車両に搭載されたレドックスフロー電池をステーションで電源に接続することによって再充電を行う第１の使用形態や、このレドックスフロー電池の燃料タンクを空にして新たな電解液を注入したり使用済みの燃料タンクをステーションで新たな燃料タンクに交換したりしてエネルギー交換を行う第２の形態使用が採用されている。
【先行技術文献】
【特許文献】
【０００３】
【特許文献１】特表２０１２−５２３１０３号公報
【発明の概要】
【発明が解決しようとする課題】
【０００４】
上記の燃料システムにおいて、第１の使用形態がレドックスフロー電池を再充電するまでに時間を要するのに対して、第２の使用形態は燃料タンクへの電解液の注入作業や燃料タンク自体の交換作業のみで対応でき時間短縮を図ることができるため有利である。
【０００５】
ところが、第２の形態は、車両に対する燃料タンクの着脱作業を伴うため面倒であるという問題を抱えている。
【０００６】
本発明は、かかる課題に鑑みてなされたものであり、車両に搭載されたレドックスフロー電池の電解液交換を容易に行うのに有効な技術を提供しようとするものである。
【課題を解決するための手段】
【０００７】
本発明の一態様は、
車両（１０）に搭載されたレドックスフロー電池（１１）の電解液交換に使用される電解液ステーション（１００，１００Ａ）であって、
上記レドックスフロー電池の電解液タンク（１２）に繋がる接続口（１３）に接続可能なコネクタ（１１１）を有するスタンド（１１０）と、
使用済電解液（Ｌａ，Ｌｂ）を回収する回収タンク（１２０，１２０Ａ，１２０Ｂ）と、
充電済電解液（Ｍａ，Ｍｂ）を貯留する充填タンク（１３０，１３０Ａ，１３０Ｂ）と、
上記スタンドの上記コネクタと上記回収タンクとを接続する回収ライン（１１２，１１３）と、
上記スタンドの上記コネクタと上記充填タンクとを接続する充填ライン（１１４，１１５）と、
を備え、
上記スタンドの上記コネクタが上記接続口に接続されることにより、上記電解液タンクから抜き出された上記使用済電解液が上記回収ラインを通じて上記回収タンクに回収可能となり、上記充填タンクに貯留されている上記充電済電解液が上記充填ラインを通じて上記電解液タンクに充填可能となるように構成されている、電解液ステーション（１００，１００Ａ）、
にある。
【発明の効果】
【０００８】
上記の電解液ステーションにおいて、ユーザがスタンドのコネクタを接続口に接続した状態で、電解液タンクから抜き出された使用済電解液を、回収ラインを通じて回収タンクに回収することができる。また、充填タンクに貯留されている充電済電解液を、充填ラインを通じて電解液タンクに充填することができる。この場合、レドックスフロー電池の電解液タンクの電解液交換のための作業は、スタンドのコネクタを接続口に接続する作業を主体とした簡単なものになる。
【０００９】
以上のごとく、上記態様によれば、車両に搭載されたレドックスフロー電池の電解液交換を容易に行うことが可能になる。
【００１０】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１１】
【図１】実施形態１の電解液ステーションを含む電力マネジメントシステムのシステム構成図。
【図２】実施形態１の電解液ステーションの概略構成を示す図。
【図３】実施形態１の電解液ステーションにかかる制御フローを示す図。
【図４】実施形態１の電解液ステーションについて図３中の充電処理の第１段階の状態を示す図。
【図５】実施形態１の電解液ステーションについて図３中の充電処理の第２段階の状態を示す図。
【図６】実施形態１の電解液ステーションについて図３中の充電処理の第３段階の状態を示す図。
【図７】実施形態１の電解液ステーションについての状態を示す図。
【図８】実施形態１の電解液ステーションについて図３中の電解液交換処理の第１段階の状態を示す図。
【図９】実施形態１の電解液ステーションについて図３中の電解液交換処理の第２段階の状態を示す図。
【図１０】実施形態２の電解液ステーションの概略構成を示す図。
【図１１】実施形態２の電解液ステーションについての状態を示す図。
【図１２】実施形態２の電解液ステーションについて第１使用モードの状態を示す図。
【図１３】実施形態２の電解液ステーションについて第２使用モードの状態を示す図。
【図１４】実施形態２の電解液ステーションについて復帰モードの第１処理時の状態を示す図。
【図１５】実施形態２の電解液ステーションについて復帰モードの第２処理時の状態を示す図。
【図１６】実施形態２の電解液ステーションについて第３使用モードの状態を示す図。
【発明を実施するための形態】
【００１２】
以下、電力マネジメントシステムの実施形態について、図面を参照しつつ説明する。
【００１３】
（実施形態１）
図１に示されるように、実施形態１にかかる電力マネジメントシステム１は、その構成要素として、電解液ステーション１００と、電解液ステーション１００とは別に設けられた管理装置２００及び端末装置３００と、を含む。
【００１４】
なお、図１では、説明の便宜上、上記の構成要素が１つずつ記載されているが、上記の構成要素の数は適宜に変更が可能である。また、必要に応じて上記の構成要素に更なる構成要素が付加されてもよい。
【００１５】
電解液ステーション１００は、車両１０に搭載されたレドックスフロー電池１１（図２参照）の電解液交換に使用される。この電解液ステーション１００は、電解液の交換のみを実施する専用のステーションであってもよいし、或いは別のエネルギーの供給を兼務した兼用のステーションであってもよい。
【００１６】
電解液ステーション１００は、管理装置２００の通信部２０１との間で通信回線２を介して情報通信が可能な通信部１０１を有する。通信部１０１は、通信回線２を介して管理装置２００に送信情報を送信でき、且つ通信回線２を介して管理装置２００から受信情報を受信できるようになっている。
【００１７】
管理装置２００は、電解液ステーション１００を含む複数のエネルギー供給ステーションを管理するための装置である。この管理装置２００は、通信部２０１と、記憶部２０２と、電力量予測部２１０と、充填量予測部２２０と、計測部２３０と、条件設定部２４０と、を有する。
【００１８】
電力量予測部２１０は、電解液ステーション１００の通信部１０１から送信された情報に基づいて、入力電力量Ｐａ及び出力電力量Ｐｂのそれぞれを予測する機能を有する。この電力量予測部２１０による入力電力量Ｐａ及び出力電力量Ｐｂの予測結果は、記憶部２０２に一時的に格納された後、必要に応じて記憶部２０２から読み出される。
【００１９】
充填量予測部２２０は、電解液ステーション１００の通信部１０１から送信された情報に基づいて、充填量Ｐｃを予測する機能を有する。この充填量予測部２２０による充填量Ｐｃの予測結果は、記憶部２０２に一時的に格納された後、必要に応じて記憶部２０２から読み出される。
【００２０】
計測部２３０は、電解液ステーション１００の通信部１０１から送信された情報に基づいて、液量Ｑａ，Ｑｂ及びエネルギー量Ｅａ，Ｅｂを計測する機能を有する。この計測部２３０による液量Ｑａ，Ｑｂ及びエネルギー量Ｅａ，Ｅｂの計測結果は、記憶部２０２に一時的に格納された後、必要に応じて記憶部２０２から読み出される。
【００２１】
条件設定部２４０は、電力量予測部２１０及び充填量予測部２２０のそれぞれによる予測結果と計測部２３０による計測結果との双方に基づいて、電解液交換条件Ｃを設定する機能を有する。
【００２２】
この条件設定部２４０は、記憶部２０２に一時的に格納されている入力電力量Ｐａ、出力電力量Ｐｂ、充填量Ｐｃ、液量Ｑａ，Ｑｂ及びエネルギー量Ｅａ，Ｅｂの各パラメータを読み出して、予め設定されているロジックにこれらのパラメータを適用することによって電解液交換条件Ｃを設定するように構成されている。
【００２３】
端末装置３００は、管理装置２００に通信回線３を介して情報通信可能に接続された装置である。この端末装置３００には、定置型端末３００Ａ、携帯型端末３００Ｂ、車載機器３００Ｃなどが包含される。
【００２４】
ここで、定置型端末３００Ａは、ユーザが設置状態で使用可能な機器である。典型的には、持ち運びを想定していない大型のパーソナルコンピュータがこの定置型端末３００Ａに相当する。
【００２５】
携帯型端末３００Ｂは、ユーザが携帯して使用可能な小型で軽量のモバイル機器である。典型的には、可搬式の携帯電話（スマートフォンを含む）、タブレット型情報端末、ノート型パーソナルコンピュータがこの携帯型端末３００Ｂに相当する。
【００２６】
車載機器３００Ｃは、車両１０に搭載される機器である。典型的には、車両１０のインストルメントパネル、コンソール、ステアリングホイール及びＥＣＵ（電子制御ユニット）などに適宜に配置される機器がこの車載機器３００Ｃに相当する。
【００２７】
ここでいう「ユーザ」には、車両１０を所有している個人所有者は勿論、レンタル事業やカーシェア事業などの用途で複数の車両１０を所有している事業者などが広く包含される。
【００２８】
端末装置３００は、管理装置２００の通信部２０１との間で通信回線３を介して情報通信が可能な通信部３０１と、ユーザが複数のエネルギー供給ステーションを利用するときに操作可能な操作部３１０と、送信指令部３２０と、を有する。
【００２９】
通信部３０１は、通信回線３を介して管理装置２００に送信情報を送信でき、且つ通信回線３を介して管理装置２００から受信情報を受信できるようになっている。
【００３０】
ユーザは、複数のエネルギー供給ステーションの中で使用したいエネルギー供給ステーションを操作部３１０で選択することができる。ユーザによるこの操作部３１０の操作時に、通信部３０１は管理装置２００から通信回線２を介して情報出力要求Ｄ１を受信する。
【００３１】
送信指令部３２０は、通信部３０１が受信した情報出力要求Ｄ１に応じて、車両情報Ｂを管理装置２００に送信するための送信指令Ｄ２を出力する機能を有する。送信指令部３２０は、車両情報管理サーバ４００の通信部４０１に通信回線４を介して情報通信可能に接続されている。
【００３２】
車両情報管理サーバ４００は、通信部４０１及び記憶部４０２を有し、記憶部４０２に複数の車両情報Ｂを格納するように構成されている。
【００３３】
ここで、車両情報Ｂは、ユーザが管理しており且つレドックスフロー電池１１（図２参照）を搭載している複数の車両１０に関する情報である。この車両情報Ｂには、車両１０について、車名、車体番号、型式等の情報をはじめ、現在の停車位置や走行位置、レドックスフロー電池１１の電解液タンク１２の残存エネルギー量などの情報が包含される。
【００３４】
送信指令部３２０は、車両情報管理サーバ４００の記憶部４０２に予め記憶されている車両情報Ｂがユーザによる操作部３１０の操作時に通信回線５を介して管理装置２００に送信されるように車両情報管理サーバ４００に送信指令Ｄ２を出力する。
【００３５】
なお、必要に応じて、車両情報管理サーバ４００の記憶部４０２の機能を、管理装置２００及び端末装置３００のいずれか一方が兼務するような形態や、車両情報管理サーバ４００自体を管理装置２００及び端末装置３００のいずれか一方が兼務するような形態などを採用することもできる。
【００３６】
図２に示されるように、電解液ステーション１００は、スタンド１１０と、２つの回収タンク１２０と、２つの充填タンク１３０と、２つの回収ライン１１２，１１３と、２つの充填ライン１１４，１１５と、充電処理装置１４０と、を備えている。
【００３７】
スタンド１１０は、レドックスフロー電池１１の電解液タンク１２に繋がる接続口１３に接続可能な電解液交換用のコネクタ１１１を有する。このコネクタ１１１には、２つの回収ライン１１２，１１３のそれぞれの一端部と、２つの充填ライン１１４，１１５のそれぞれの一端部が内蔵されている。
【００３８】
また、特に図示しないものの、このスタンド１１０には、２つの回収ライン１１２，１１３に回収タンク１２０に向けて電解液を流すための回収用ポンプが内蔵され、また２つの充填ライン１１４，１１５にコネクタ１１１に向けて電解液を流すための充填用ポンプが内蔵されている。
【００３９】
車両１０に搭載されるレドックスフロー電池１１は、イオン交換膜を隔てて陽極側電解液槽と陰極側電解液槽とに仕切られた反応槽１２ａと、この反応槽１２ａに供給される電解液を貯蔵する正極及び負極の電解液タンク１２と、を有し、このレドックスフロー電池１１で生じる電力を放電したり外部電力を充電したりすることができる。このレドックスフロー電池１１において、反応槽１２ａは、後述のセルスタック１５０と同様の機能を果たし、電解液タンク１２は、後述の充電タンク１４１と同様の機能を果たす。
【００４０】
このレドックスフロー電池１１の更なる詳細な構造については、例えば特開２０１１−２３３３７１号公報や特表２０１２−５２３１０３号公報に開示のレドックスフロー電池の構造が参照される。
【００４１】
２つの回収タンク１２０は、電解液タンク１２の陽極側電解液槽（図示省略）の使用済電解液Ｌａを回収する回収タンク１２０Ａと、電解液タンク１２の陰極側電解液槽（図示省略）の使用済電解液Ｌｂを回収する回収タンク１２０Ｂと、に分類される。
【００４２】
２つの回収タンク１２０のそれぞれにはセンサ装置１２１が取付けられている。このセンサ装置１２１には、回収タンク１２０に貯留されている電解液の液量Ｑａの計測のためのデータを取得する第１センサと、回収タンク１２０に貯留されている電解液のエネルギー量Ｅａの計測のためのデータを取得する第２センサと、が含まれている。このセンサ装置１２１の各センサで取得されたデータは、管理装置２００に送信されるようになっている。
【００４３】
２つの充填タンク１３０は、電解液タンク１２の陽極側電解液槽（図示省略）に充填される充電済電解液Ｍａを貯留する充填タンク１３０Ａと、電解液タンク１２の陰極側電解液槽（図示省略）に充填される充電済電解液Ｍｂを貯留する充填タンク１３０Ｂと、に分類される。
【００４４】
２つの充填タンク１３０のそれぞれには前記のセンサ装置１２１と同様のセンサ装置１３１が取付けられている。このセンサ装置１３１には、充填タンク１３０に貯留されている電解液の液量Ｑｂの計測のためのデータを取得する第１センサと、充填タンク１３０に貯留されている電解液のエネルギー量Ｅｂの計測のためのデータを取得する第２センサと、が含まれている。このセンサ装置１３１の各センサで取得されたデータは、管理装置２００に送信されるようになっている。
【００４５】
センサ装置１２１，１３１の第１センサとして、典型的には、静電容量式レベル計、フロート式レベル計、超音波式レベル計、圧力式レベル計などを使用することができる。
【００４６】
センサ装置１２１，１３１の第２センサとして、典型的には、ｐＨセンサを使用することができる。第２センサにｐＨセンサを使用した場合には、このｐＨセンサで検出されたｐＨ値から、電解液の単位液量あたりのエネルギー量Ｅａを推算することができる。
【００４７】
なお、センサ装置１２１の第２センサによって推算されたエネルギー量Ｅａに、セルスタック１５０への供給電力の推算値を加算することによって、エネルギー量Ｅｂを導出することもできる。この場合、センサ装置１３１の第２センサを省略することもできる。
【００４８】
回収ライン１１２は、スタンド１１０のコネクタ１１１と回収タンク１２０Ａとを接続するラインである。このため、スタンド１１０のコネクタ１１１が接続口１３に接続された状態で、電解液タンク１２から抜き出された使用済電解液Ｌａは、コネクタ１１１から回収ライン１１２を通じて回収タンク１２０Ａに回収される。
【００４９】
回収ライン１１３は、スタンド１１０のコネクタ１１１と回収タンク１２０Ｂとを接続するラインである。このため、このため、スタンド１１０のコネクタ１１１が接続口１３に接続された状態で、電解液タンク１２から抜き出された使用済電解液Ｌｂは、コネクタ１１１から回収ライン１１３を通じて回収タンク１２０Ｂに回収される。
【００５０】
充填ライン１１４は、スタンド１１０のコネクタ１１１と充填タンク１３０Ａとを接続するラインである。このため、スタンド１１０のコネクタ１１１が接続口１３に接続された状態で、充填タンク１３０Ａに貯留されている充電済電解液Ｍａは、充填ライン１１４及びコネクタ１１１を通じて電解液タンク１２に充填される。
【００５１】
充填ライン１１５は、スタンド１１０のコネクタ１１１と充填タンク１３０Ｂとを接続するラインである。このため、スタンド１１０のコネクタ１１１が接続口１３に接続された状態で、充填タンク１３０Ｂに貯留されている充電済電解液Ｍｂは、充填ライン１１５及びコネクタ１１１を通じて電解液タンク１２に充填される。
【００５２】
ここで、回収ライン１１２，１１３と充填ライン１１４，１１５が互いに独立した経路になっている。このため、ユーザは、スタンド１１０のコネクタ１１１を車両１０の接続口１３に接続した状態で、回収ライン１１２，１１３を使用した使用済電解液Ｌａ，Ｌｂの回収作業と、充填ライン１１４，１１５を使用した充電済電解液Ｍａ，Ｍｂの充填作業を並行して実施できる。その結果、電解液交換作業の時間短縮を図ることが可能になる。
【００５３】
なお、必要に応じて、４つのライン１１２，１１３，１１４，１１５のうちの少なくとも１つのラインが別のラインの全部或いは一部を兼用するような構造を採用することもできる。
【００５４】
また、コネクタ１１１を、２つの回収ライン１１２，１１３のための第１コネクタと、２つの充填ライン１１４，１１５のための第２コネクタと、に分割するようにしてもよい。
【００５５】
充電処理装置１４０は、回収タンク１２０Ａ，１２０Ｂに貯留された使用済電解液Ｌａ，Ｌｂの充電処理が可能な装置である。この充電処理装置１４０で充電処理された電解液が充電済電解液Ｍａ，Ｍｂとして充填タンク１３０Ａ，１３０Ｂに貯留されるように構成されている。
【００５６】
この充電処理装置１４０は、２つの充電タンク１４１と、セルスタック１５０と、充放電器１５１と、制御部１６０と、を有する。
【００５７】
制御部１６０は、レドックスフロー電池１１から使用済電解液Ｌａ，Ｌｂを回収し且つレドックスフロー電池１１に充電済電解液Ｍａ，Ｍｂを充填するために設定された電解液交換条件Ｃに基づいて、移送ポンプ１４２ａ，１４３ａ，１４４ａ，１４５ａと、循環ポンプ１４６ａ，１４７ａと、開閉弁１４２ｂ，１４３ｂ，１４４ｂ，１４５ｂと、を制御する機能を有する。
【００５８】
電解液交換条件Ｃは、管理装置２００の条件設定部２４０によって設定された後に通信部２０１から送信され、通信部１０１にて受信される。この電解液交換条件Ｃの設定に際しては、電解液ステーション１００の通信部１０１から送信された情報に基づいて、管理装置２００において、入力電力量Ｐａ、出力電力量Ｐｂ、充填量Ｐｃのそれぞれが予測され、液量Ｑａ，Ｑｂ及びエネルギー量Ｅａ，Ｅｂのそれぞれが計測される。
【００５９】
ここで、入力電力量Ｐａは、外部接続対象である系統電力１５２から充放電器１５１に入力される電力量である。出力電力量Ｐｂは、充放電器１５１から系統電力１５２に出力される電力量である。充填量Ｐｃは、充填タンク１３０Ａ，１３０Ｂからレドックスフロー電池１１の電解液タンク１２に充填される充電済電解液Ｍａ，Ｍｂの充填量である。
【００６０】
また、液量Ｑａは、回収タンク１２０Ａ，１２０Ｂに貯留されている使用済電解液Ｌａ，Ｌｂの液量である。液量Ｑｂは、充填タンク１３０Ａ，１３０Ｂに貯留されている充電済電解液Ｍａ，Ｍｂの液量である。エネルギー量Ｅａは、回収タンク１２０Ａ，１２０Ｂに貯留されている使用済電解液Ｌａ，Ｌｂのエネルギー量である。エネルギー量Ｅｂは、充填タンク１３０Ａ，１３０Ｂに貯留されている充電済電解液Ｍａ，Ｍｂのエネルギー量である。
【００６１】
２つの充電タンク１４１は、回収タンク１２０Ａと充填タンク１３０Ａのそれぞれに対して接続管１４２，１４３を介して接続された充電タンク１４１Ａと、回収タンク１２０Ｂと充填タンク１３０Ｂのそれぞれに対して接続管１４４，１４５を介して接続された充電タンク１４１Ｂと、に分類される。
【００６２】
充電タンク１４１Ａ，１４１Ｂの容量は、レドックスフロー電池１１の電解液タンク１２の容量の倍数或いは約数として表される値に設定されているのが好ましい。さらに好ましくは、充電タンク１４１Ａ，１４１Ｂの容量を電解液タンク１２の容量と同程度の値に設定する。これにより、充電タンク１４１Ａ，１４１Ｂの電解液を充電するときに必要になる電力が大幅に上昇するのを抑えることが可能になる。
【００６３】
また、充電タンク１４１Ａ，１４１Ｂの容量は、回収タンク１２０Ａ，１２０Ｂ及び充填タンク１３０Ａ，１３０Ｂのいずれの容量も下回る値に設定されているのが好ましい。これにより、充電タンク１４１Ａ，１４１Ｂを含む充電処理装置１４０を小型化できる。
【００６４】
接続管１４２は、回収タンク１２０Ａと充電タンク１４１Ａとを接続するものであり、この接続管１４２を通じて回収タンク１２０Ａと充電タンク１４１Ａとの間で電解液を移送可能になっている。
【００６５】
制御部１６０によって開閉弁１４２ｂが開状態に制御され且つ移送ポンプ１４２ａが運転されることによって、回収タンク１２０Ａから充電タンク１４１Ａに電解液を移送することができ、或いは充電タンク１４１Ａから回収タンク１２０Ａに電解液を移送することができるように構成されている。また、制御部１６０によって開閉弁１４２ｂが閉状態に制御されることによって、回収タンク１２０Ａと充電タンク１４１Ａとの間での電解液の流れが阻止されるように構成されている。
【００６６】
接続管１４３は、充電タンク１４１Ａと充填タンク１３０Ａとを接続するものであり、この接続管１４３を通じて充電タンク１４１Ａと充填タンク１３０Ａとの間で電解液を移送可能になっている。
【００６７】
制御部１６０によって開閉弁１４３ｂが開状態に制御され且つ移送ポンプ１４３ａが運転されることによって、充電タンク１４１Ａから充填タンク１３０Ａに電解液を移送することができ、或いは充填タンク１３０Ａから充電タンク１４１Ａに電解液を移送することができるように構成されている。また、制御部１６０によって開閉弁１４３ｂが閉状態に制御されることによって、充電タンク１４１Ａと充填タンク１３０Ａとの間での電解液の流れが阻止されるように構成されている。
【００６８】
接続管１４４は、回収タンク１２０Ｂと充電タンク１４１Ｂとを接続するものであり、この接続管１４４を通じて回収タンク１２０Ｂと充電タンク１４１Ｂとの間で電解液を移送可能になっている。
【００６９】
制御部１６０によって開閉弁１４４ｂが開状態に制御され且つ移送ポンプ１４４ａが運転されることによって、回収タンク１２０Ｂから充電タンク１４１Ｂに電解液を移送することができ、或いは充電タンク１４１Ｂから回収タンク１２０Ｂに電解液を移送することができるように構成されている。また、制御部１６０によって開閉弁１４４ｂが閉状態に制御されることによって、回収タンク１２０Ｂと充電タンク１４１Ｂとの間での電解液の流れが阻止されるように構成されている。
【００７０】
接続管１４５は、充電タンク１４１Ｂと充填タンク１３０Ｂとを接続するものであり、この接続管１４５を通じて充電タンク１４１Ｂと充填タンク１３０Ｂとの間で電解液を移送可能になっている。
【００７１】
制御部１６０によって開閉弁１４５ｂが開状態に制御され且つ移送ポンプ１４５ａが運転されることによって、充電タンク１４１Ｂから充填タンク１３０Ｂに電解液を移送することができ、或いは充填タンク１３０Ｂから充電タンク１４１Ｂに電解液を移送することができるように構成されている。また、制御部１６０によって開閉弁１４５ｂが閉状態に制御されることによって、充電タンク１４１Ｂと充填タンク１３０Ｂとの間での電解液の流れが阻止されるように構成されている。
【００７２】
セルスタック１５０は、レドックスフロー電池１１のように、電気の発生或いは吸収が可能な複数のセルを組み合わせてなる既知の反応槽である。このセルスタック１５０は、循環ポンプ１４６ａ，１４７ａが設けられた循環経路１４６，１４７を通じて充電タンク１４１Ａ，１４１Ｂとの間で電解液を循環可能に構成されている。
【００７３】
これにより、循環ポンプ１４６ａの運転時に、充電タンク１４１Ａとセルスタック１５０とを接続する循環経路１４６を電解液が循環するように構成されている。また、循環ポンプ１４６ｂの運転時に、充電タンク１４１Ｂとセルスタック１５０とを接続する循環経路１４７を電解液が循環するように構成されている。このとき、セルスタック１５０において、電解液を使用して電力を出力することができ、或いは電力の入力によって電解液を充電することができる。
【００７４】
充放電器１５１は、系統電力１５２とセルスタック１５０との間の通電経路１５０ａに介装された系統電力用充放電器として構成されている。このため、充放電器１５１は、通電経路１５０ａを通じて系統電力１５２との間での充放電が可能となるように構成されている。
【００７５】
系統電力１５２から充放電器１５１に電力が入力された電力入力状態で循環経路１４６，１４７に電解液を循環させることにより、この電解液の電荷が高まる。このため、電力入力状態で電解液の循環を継続することによって、充電タンク１４１Ａ，１４１Ｂの電解液の液充電が可能になる。
【００７６】
一方で、セルスタック１５０に蓄積された電力を、通電経路１５０ａ及び充放電器１５１を通じて系統電力１５２に出力することが可能である。
【００７７】
次に、上記電解液ステーション１００における制御フローについて図３〜図９を参照しながら説明する。この制御は、管理装置２００からの指令に基づいて電解液ステーション１００において実行される。
【００７８】
図３に示されるように、この制御フローには、ステップＳ１０１からステップＳ１０８まで処理が含まれている。
【００７９】
なお、これらのステップに対して、必要に応じて１又は複数のステップが追加されてもよいし、或いは複数のステップが統合されてもよい。また、必要に応じて各ステップの順番を入れ替えることもできる。
【００８０】
ステップＳ１０１は、電力単価などの情報に基づいて、系統電力１５２から充放電器１５１に入力される入力電力量Ｐａと、充放電器１５１から系統電力１５２に出力される出力電力量Ｐｂと、を予測するステップである。このステップＳ１０１は、管理装置２００の電力量予測部２１０によって行われる。
【００８１】
ステップＳ１０２は、電解液ステーション１００への一定時間内の受入車両数などの情報に基づいて、充填タンク１３０Ａ，１３０Ｂからレドックスフロー電池１１の電解液タンク１２に充填される充電済電解液Ｍａ，Ｍｂの充填量Ｐｃを予測するステップである。このステップＳ１０２は、管理装置２００の充填量予測部２２０によって行われる。
【００８２】
ステップＳ１０３は、センサ装置１２１の計測データなどに基づいて、回収タンク１２０Ａ，１２０Ｂに貯留されている使用済電解液Ｌａ，Ｌｂの液量Ｑａ及びエネルギー量Ｅａを計測するステップである。このステップＳ１０３は、管理装置２００の計測部２３０によって行われる。
【００８３】
ステップＳ１０４は、センサ装置１３１の計測データなどに基づいて、充填タンク１３０Ａ，１３０Ｂに貯留されている使用済電解液Ｍａ，Ｍｂの液量Ｑｂ及びエネルギー量Ｅｂを計測するステップである。このステップＳ１０４は、管理装置２００の計測部２３０によって行われる。
【００８４】
ステップＳ１０５は、ステップＳ１０１及びステップＳ１０２で予測した予測結果とステップＳ１０３及びステップＳ１０４で計測した計測結果との双方に基づいて、充電条件及び電解液交換条件を設定するステップである。このステップＳ１０５は、管理装置２００の条件設定部２４０によって行われる。
【００８５】
ステップＳ１０６は、ステップＳ１０５で設定した充電条件に基づいて充電処理を行うステップである。このステップＳ１０６は、電解液ステーション１００の制御部１６０及び管理者によって行われる。
【００８６】
ステップＳ１０７は、ステップＳ１０５で設定した電解液交換条件に基づいて電解液交換を行うステップである。このステップＳ１０７は、電解液ステーション１００の制御部１６０及び管理者によって行われる。
【００８７】
ステップＳ１０８は、処理を終了するか否かを判定するステップである。処理を終了しないと判定したとき（ステップＳ１０８の「Ｙｅｓ」の場合）にはステップＳ１０１に戻る。
【００８８】
ここで、上記のステップＳ１０６の充電処理時の電解液ステーション１００の様子については図４〜図７を参照することができ、また上記のステップＳ１０７の電解液交換処理時の電解液ステーション１００の様子については図８及び図９を参照することができる。
【００８９】
なお、図４〜図９において、開閉弁１４２ｂ，１４３ｂ，１４４ｂ，１４５ｂに開閉については、開状態を白抜きで示し閉状態を黒塗りで示している。
【００９０】
（充電処理）
図４に示されるように、充電処理の第１段階では、接続管１４２を使用して回収タンク１２０Ａから充電タンク１４１Ａへ使用済電解液Ｌａを移送し、接続管１４４を使用して回収タンク１２０Ｂから充電タンク１４１Ｂへ使用済電解液Ｌｂを移送する。このとき、移送ポンプ１４２ａ，１４４ａが運転され且つ開閉弁１４２ｂ，１４４ｂが開状態に制御される。また、移送ポンプ１４３ａ，１４５ａ及び循環ポンプ１４６ａ，１４７ａは停止され、開閉弁１４３ｂ，１４５ｂが閉状態に制御される。これにより、充電タンク１４１Ａ，１４１Ｂで使用済電解液Ｌａ，Ｌｂを充電する準備が整う。
【００９１】
図５に示されるように、充電処理の第２段階では、移送ポンプ１４２ａ，１４４ａが停止され且つ開閉弁１４２ｂ，１４４ｂが閉状態に制御され、また循環ポンプ１４６ａ，１４７ａの運転によって循環経路１４６，１４７に使用済電解液Ｌａ，Ｌｂの循環を確立する。そして、系統電力１５２から充放電器１５１及び通電経路１５０ａを通じてセルスタック１５０の電力が供給される。これにより、充電タンク１４１Ａ，１４１Ｂの電解液の充電が開始され、時間経過に伴ってこの電解液の電荷レベルが徐々に高まる。
【００９２】
その後、センサ装置（図示省略）によって電解液の電荷レベルが充電済電解液Ｍａ，Ｍｂの電荷レベルに達したことが確認されたときに、系統電力１５２からの電力供給を停止する。これにより、充電タンク１４１Ａ，１４１Ｂの電解液の充電が完了する。
【００９３】
図６に示されるように、充電処理の第３段階では、接続管１４３を使用して充電タンク１４１Ａから充填タンク１３０Ａへ電解液を移送し、接続管１４５を使用して接続管１４５を使用して充電タンク１４１Ｂから充填タンク１３０Ｂへ電解液を移送する。このとき、移送ポンプ１４３ａ，１４５ａが運転され且つ開閉弁１４３ｂ，１４５ｂが開状態に制御される。また、移送ポンプ１４２ａ，１４４ａ及び循環ポンプ１４６ａ，１４７ａは停止され、開閉弁１４２ｂ，１４４ｂが閉状態に制御される。
【００９４】
図７に示されるように、その後、移送ポンプ１４３ａ，１４５ａが停止され且つ開閉弁１４３ｂ，１４５ｂが閉状態に制御される。
【００９５】
（電解液交換処理）
図８に示されるように、電解液ステーション１００において管理者は、スタンド１１０のコネクタ１１１が車両１０の接続口１３に接続された接続状態を確立する。
【００９６】
電解液交換処理の第１段階では、スタンド１１０の回収用ポンプ（図示省略）を起動させることによって、車両１０のレドックスフロー電池１１の電解液タンク１２に充填されている使用済電解液Ｌａ，Ｌｂを吸引し、回収ライン１１２，１１３を通じて回収タンク１２０Ａ，１２０Ｂに回収する。
【００９７】
図９に示されるように、電解液交換処理の第２段階では、スタンド１１０の充填用ポンプ（図示省略）を起動させることによって、充填タンク１３０Ａ，１３０Ｂに充填されている充電済電解液Ｍａ，Ｍｂを充填ライン１１４，１１５から吸引し、車両１０のレドックスフロー電池１１の電解液タンク１２に充填する。
【００９８】
上述の実施形態１によれば、以下のような作用効果が得られる。
【００９９】
電解液ステーション１００において、ユーザがスタンド１１０のコネクタ１１１を接続口１３に接続した状態で、電解液タンク１２から抜き出された使用済電解液Ｌａ，Ｌｂを、回収ライン１１２，１１３を通じて回収タンク１２０Ａ，１２０Ｂに回収することができる。また、充填タンク１３０Ａ，１３０Ｂに貯留されている充電済電解液Ｍａ，Ｍｂを、充填ライン１１４，１１５を通じて電解液タンク１２に充填することができる。この場合、レドックスフロー電池１１の電解液タンク１２の電解液交換のための作業は、スタンド１１０のコネクタ１１１を接続口１３に接続する作業を主体とした簡単なものになる。
【０１００】
従って、車両１０に搭載されたレドックスフロー電池１１の電解液タンク１２の電解液交換を容易に行うことが可能になる。
【０１０１】
上記の電解液ステーション１００によれば、回収タンク１２０Ａ，１２０Ｂに回収された使用済電解液Ｌａ，Ｌｂは、充電処理装置１４０で充電処理されて充電済電解液Ｍａ，Ｍｂとして充填タンク１３０Ａ，１３０Ｂに貯留される。このため、車両１０のレドックスフロー電池１１から回収した使用済電解液Ｌａ，Ｌｂを充電処理して、この車両１０の或いは別の車両１０のレドックスフロー電池１１に使用できる。
【０１０２】
上記の電解液ステーション１００によれば、回収タンク１２０Ａ，１２０Ｂと充填タンク１３０Ａ，１３０Ｂとの間に接続管１４２，１４３，１４４，１４５を介して接続された充電タンク１４１Ａ，１４１Ｂを設けることによって、充電タンク１４１Ａ，１４１Ｂを充電処理された電解液のバッファタンクとして使用することが可能になる。
【０１０３】
上記の電力マネジメントシステム１によれば、電解液ステーション１００とは別に設けられた管理装置２００が、回収タンク１２０Ａ，１２０Ｂ及び充填タンク１３０Ａ，１３０Ｂのそれぞれに貯留されている電解液の液量や、今後予測される回収量や充填量、充電処理装置１４０における電力の入出力の予測などの情報に応じて、電解液ステーション１００の運転の最適化を図ることが可能になる。
【０１０４】
以下、上述の実施形態１に関連するその他の実施形態について図面を参照しつつ説明する。他の実施形態において、上述の実施形態１の要素と同一の要素には同一の符号を付しており、当該同一の要素についての説明は省略する。
【０１０５】
（実施形態２）
図１０に示されるように、実施形態２の電解液ステーション１００Ａは、セルスタック１５０に接続される充放電構造について、実施形態１の電解液ステーション１００と相違している。この電解液ステーション１００Ａは、電解液ステーション１００の機能に加えて、接続車両１５４に搭載された二次電池の充電のための機能を兼ね備えた、充電併用ステーションとして構成されている。
【０１０６】
このため、電解液ステーション１００Ａの充電処理装置１４０は、充放電器１５１に加えて充放電器１５３を有する。この充放電器１５３は、外部接続対象である接続車両１５４との間の充放電のための車両用充放電器として構成されている。この充放電器１５３には、ＤＣ／ＤＣコンバータが内包されている。そして、２つの充放電器１５１，１５３がセルスタック１５０に並列接続されている。
【０１０７】
なお、系統電力１５２及び接続車両１５４に加えて、別の外部接続対象を設けることもできる。
【０１０８】
電解液ステーション１００Ａの充電処理装置１４０は、管理装置２００（図１参照）から送信される、デマンドレスポンス（ＤＲ）に応じた指令（以下、「ＤＲ指令」という。）に基づいて制御されるように構成されている。
【０１０９】
ここでいう「デマンドレスポンス（ＤＲ）」とは、「時間帯別に電気料金設定を行う」、「ピーク時に使用を控えた消費者に対し対価を支払う」などの方法で、電力の使用抑制を促し、ピーク時の電力消費を抑えることによって、電力の安定供給を図る仕組みをいう。
【０１１０】
その他の構成は、実施形態１と同様である。
【０１１１】
充電処理時の電解液ステーション１００Ａの様子については実施形態１の図４〜図７と同様であり、また電解液交換処理時の電解液ステーション１００Ａの様子については実施形態１の図８及び図９と同様である。
【０１１２】
一方で、電解液ステーション１００Ａが図１１に示されるような状態にあるとき、この電解液ステーション１００Ａの充電処理装置１４０は、管理装置２００から受信したＤＲ指令に基づいて制御されるように構成されている。
【０１１３】
ここで、ＤＲ指令には、下記の第１使用モードにおいて電力吸収処理についての第１のＤＲ指令と、下記の第２使用モードにおいて電力放電処理についての第２のＤＲ指令と、が含まれている。
【０１１４】
（第１使用モード）
電解液ステーション１００Ａが管理装置２００から第１のＤＲ指令を受信したとき、図１２に示されるように、開閉弁１４２ｂ及び開閉弁１４４ｂを開放することによって、回収タンク１２０Ａと充電タンク１４１Ａとを連通させ、且つ回収タンク１２０Ｂと充電タンク１４１Ｂとを連通させる。即ち、この第１使用モードでは、充電タンク１４１Ａ，１４１Ｂを、電荷レベルが相対的に低い低濃度側タンクである回収タンク１２０Ａ，１２０Ｂに接続する。また、循環ポンプ１４６ａ，１４７ａによって充電タンク１４１Ａ，１４１Ｂとセルスタック１５０との間で電解液を循環させる。
【０１１５】
この第１使用モードによれば、充電タンク１４１Ａ，１４１Ｂの電解液と回収タンク１２０Ａ，１２０Ｂの電解液とが混合されて、混合された低濃度の電解液に対して、系統電力１５２及びセルスタック１５０を介して入力された電力の吸収が開始される。また、この第１使用モードでは、系統電力１５２から入力された電力の一部は、接続車両１５４の二次電池の通常充電にも使用される。
【０１１６】
その後、センサ装置１２１によって、電解液のエネルギー量Ｅａが所定レベルに達したことを条件にして第１使用モードが終了したと判定し、開閉弁１４２ｂ及び開閉弁１４４ｂを閉止する。これにより、図１１に示されるような状態に復帰させる。
【０１１７】
（第２使用モード）
電解液ステーション１００Ａが管理装置２００から第２のＤＲ指令を受信したとき、図１３に示されるように、開閉弁１４３ｂ及び開閉弁１４５ｂを開放することによって、充填タンク１３０Ａと充電タンク１４１Ａとを連通させ、且つ充填タンク１３０Ｂと充電タンク１４１Ｂとを連通させる。即ち、この第２使用モードでは、充電タンク１４１Ａ，１４１Ｂを、電荷レベルが相対的に高い高濃度側タンクである充填タンク１３０Ａ，１３０Ｂに接続する。また、循環ポンプ１４６ａ，１４７ａによって充電タンク１４１Ａ，１４１Ｂとセルスタック１５０との間で電解液を循環させる。
【０１１８】
この第２使用モードによれば、充電タンク１４１Ａ，１４１Ｂの電解液と充填タンク１３０Ａ，１３０Ｂの電解液とが混合されて、混合された高濃度の電解液から、セルスタック１５０及び系統電力１５２を介して電力が出力される。
【０１１９】
その後、センサ装置１３１によって、電解液のエネルギー量Ｅｂが所定レベルに達したことを条件にして第２使用モードが終了したと判定し、第２使用モードから図１１に示される状態に復帰させるための復帰モードに切り替える。
【０１２０】
この復帰モードにおいて、充填タンク１３０Ａ，１３０Ｂの電解液の一部を回収タンク１２０Ａ，１２０Ｂに移送する第１処理を実行した後に、充填タンク１３０Ａ，１３０Ｂに貯留されている電解液の電荷レベルを高める第２処理を実行する。
【０１２１】
上記の第１処理のために、図１４に示されるように開閉弁１４２ｂ及び開閉弁１４４ｂを開放する。これにより、充電タンク１４１Ａ，１４１Ｂが回収タンク１２０Ａ及び充填タンク１３０Ａ，１３０Ｂの両方に連通した状態とする。そして、移送ポンプ１４２ａ，１４３ａ，１４４ａ，１４５ａを運転することによって、充填タンク１３０Ａ，１３０Ｂの電解液の一部を充電タンク１４１Ａ，１４１Ｂを経て回収タンク１２０Ａ，１２０Ｂに移送することができる。
【０１２２】
上記の第２処理のために、図１５に示されるように、開閉弁１４２ｂ及び開閉弁１４４ｂを閉止する。これにより、充電タンク１４１Ａ，１４１Ｂの電解液の充電が開始され、時間経過に伴ってこの電解液の電荷レベルが徐々に高まる。
【０１２３】
この電解液の電荷レベルが充電済電解液Ｍａ，Ｍｂの電荷レベルに達したことが確認されたときに、この電解液を充電タンク１４１Ａ，１４１Ｂから充填タンク１３０Ａ，１３０Ｂに移送する。その後、開閉弁１４３ｂ及び開閉弁１４５ｂを閉止することによって、図１１に示されるような状態に復帰させる。
【０１２４】
（第３使用モード）
電解液ステーション１００Ａにおいて、接続車両１５４への急速充電、或いは系統電力１５２への放電抑制が必要であるときに第３使用モードが実行される。図１６に示されるように、この第３使用モードでは、第２使用モードの場合と同様に、開閉弁１４３ｂ及び開閉弁１４５ｂを開放する。これにより、充電タンク１４１Ａ，１４１Ｂを、電荷レベルが相対的に高い高濃度側タンクである充填タンク１３０Ａ，１３０Ｂに接続する。また、循環ポンプ１４６ａ，１４７ａによって充電タンク１４１Ａ，１４１Ｂとセルスタック１５０との間で電解液を循環させる。
【０１２５】
この第３使用モードによれば、充電タンク１４１Ａ，１４１Ｂの電解液と充填タンク１３０Ａ，１３０Ｂの電解液とが混合されて、混合された高濃度の電解液から、セルスタック１５０に電力が出力される。また、系統電力１５２から電力が入力される。このとき、セルスタック１５０からの出力電力と、系統電力１５２からの入力電力との両方を使用して、接続車両１５４の急速充電が可能になる。
【０１２６】
接続車両１５４の急速充電が終了したとき、第３使用モードから図１１に示される状態に復帰させるための復帰モードに切り替える。
【０１２７】
特に図示しないものの、この復帰モードは、第２使用モードのときの復帰モードと同様に、充填タンク１３０Ａ，１３０Ｂの電解液の一部を回収タンク１２０Ａ，１２０Ｂに移送する第１処理（図１４参照）を実行した後に、充填タンク１３０Ａ，１３０Ｂに貯留されている電解液の電荷レベルを高める第２処理（図１５参照）を実行する。
【０１２８】
上述の実施形態２によれば、充電併用ステーションとしての電解液ステーション１００Ａを構築することができる。
【０１２９】
その他、実施形態１と同様の作用効果を奏する。
【０１３０】
本発明は、上述の典型的な実施形態のみに限定されるものではなく、本発明の目的を逸脱しない限りにおいて種々の応用や変形が考えられる。例えば、上述の実施形態を応用した次の各形態を実施することもできる。
【０１３１】
上述の実施形態では、セルスタック１５０が、充電処理装置１４０の充電タンク１４１Ａ，１４１Ｂを介して回収タンク１２０Ａ，１２０Ｂ及び充填タンク１３０Ａ，１３０Ｂのそれぞれに接続される場合について例示したが、これに代えて、充電タンク１４１Ａ，１４１Ｂを省略し、セルスタック１５０を回収タンク１２０Ａ，１２０Ｂ及び充填タンク１３０Ａ，１３０Ｂのそれぞれに接続管を通じて接続する構造を採用することもできる。
【０１３２】
上述の実施形態では、充電処理装置１４０を備える電解液ステーション１００，１００Ａについて例示したが、必要に応じて電解液ステーション１００，１００Ａの充電処理装置１４０を省略することもできる。この場合、回収タンク１２０Ａ，１２０Ｂに回収された使用済電解液Ｌａ，Ｌｂは、電解液ステーション１００，１００Ａの外部の充電設備に移送されて充電された後に、充電済電解液Ｍａ，Ｍｂが充填タンク１３０Ａ，１３０Ｂに充填される。
【符号の説明】
【０１３３】
１  電力マネジメントシステム
１０  車両
１１  レドックスフロー電池
１２  電解液タンク
１３  接続口
１００，１００Ａ  電解液ステーション
１１１  コネクタ
１１２，１１３  回収ライン
１１４，１１５  充填ライン
１２０，１２０Ａ，１２０Ｂ  回収タンク
１３０，１３０Ａ，１３０Ｂ  充填タンク
１４０  充電処理装置
１４１，１４１Ａ，１４１Ｂ  充電タンク
１４２，１４３，１４４，１４５  接続管
１４２ａ，１４３ａ，１４４ａ，１４５ａ  移送ポンプ
１４２ｂ，１４３ｂ，１４４ｂ，１４５ｂ  開閉弁
１４６，１４７  循環経路
１４６ａ，１４７ａ  循環ポンプ
１５０  セルスタック
１５０ａ  通電経路
１５１  充放電器（系統電力用充放電器）
１５２  系統電力（外部接続対象）
１５３  充放電器（車両用充放電器）
１５４  接続車両（外部接続対象）
１６０  制御部
２００  管理装置
２１０  電力量予測部
２２０  充填量予測部
２３０  計測部
２４０  条件設定部
Ｌａ，Ｌｂ  使用済電解液
Ｍａ，Ｍｂ  充電済電解液
Ｐａ  入力電力量
Ｐｂ  出力電力量
Ｐｃ  充填量
Ｑａ，Ｑｂ  液量
Ｅａ，Ｅｂ  エネルギー量
【図１】
2020095913.tif 000003
【図２】
2020095913.tif 000004
【図３】
2020095913.tif 000005
【図４】
2020095913.tif 000006
【図５】
2020095913.tif 000007
【図６】
2020095913.tif 000008
【図７】
2020095913.tif 000009
【図８】
2020095913.tif 000010
【図９】
2020095913.tif 000011
【図１０】
2020095913.tif 000012
【図１１】
2020095913.tif 000013
【図１２】
2020095913.tif 000014
【図１３】
2020095913.tif 000015
【図１４】
2020095913.tif 000016
【図１５】
2020095913.tif 000017
【図１６】
2020095913.tif 000018